(57)【要約】【課題】  カード状支持体から容易に取り外しが可能な個人認証媒体を得る。【解決手段】  カード状支持体付個人認証媒体は、カード状支持体と、第１の個人認証媒体と、第１の切り取り補助孔とを備える。カード状支持体は、第１の大きさを有する。第１の個人認証媒体は、カード状支持体中に設けられ、第１の大きさより小さい第２の大きさを有する第１のカード基材、及び、第１のカード基材上に装着されたＩＣモジュールを含む。第１の切り取り補助孔は、第１のカード基材の周囲に設けられる。第１の切り取り補助孔は、第１のカード基材の第１の辺と第１の辺の両側の辺とにまたがり、第１の辺の外側の幅は、カード状支持体からの取り外しを容易にするように、第１の辺の両側の辺の外側の幅よりも広い。【選択図】図１
2015053066.tif 000002
【特許請求の範囲】
【請求項１】
第１の大きさを有するカード状支持体と、
前記カード状支持体中に設けられ、前記第１の大きさより小さい第２の大きさを有する第１のカード基材、及び、前記第１のカード基材上に装着されたＩＣモジュールを含む第１の個人認証媒体と、
前記第１のカード基材の周囲に設けられる第１の切り取り補助孔とを備え、
前記第１の切り取り補助孔は、
前記第１のカード基材の第１の辺と前記第１の辺の両側の辺とにまたがり、前記第１の辺の外側の幅は、前記カード状支持体からの取り外しを容易にするように、前記第１の辺の両側の辺の外側の幅よりも広い、
カード状支持体付き個人認証媒体。
【請求項２】
第１の大きさを有するカード状支持体と、
前記カード状支持体中に設けられ、前記第１の大きさより小さい第２の大きさを有する第１のカード基材、及び、前記第１のカード基材上に装着されたＩＣモジュールを含む第１の個人認証媒体と、
前記第１のカード基材の周囲に設けられる第１の切り取り補助孔とを備え、
前記第１の切り取り補助孔は、
前記第１のカード基材の第１の辺と前記第１の辺の両側の辺とにまたがる第１の孔と、
前記第１の辺に対向する前記第１のカード基材の第２の辺と前記第２の辺の両側の辺とにまたがる第２の孔と、を含み、
前記第１の孔は、前記カード状支持体からの取り外しを容易にするように、第１の辺の両側の辺の外側の幅よりも第１の辺の外側の幅の方が広いカード状支持体付き個人認証媒体。
【請求項３】
第１の大きさを有するカード状支持体と、
前記カード状支持体中に設けられ、前記第１の大きさより小さい第２の大きさを有する第１のカード基材、及び、前記第１のカード基材上に装着されたＩＣモジュールを含む第１の個人認証媒体と、
前記第１のカード基材の周囲に設けられる第１の切り取り補助孔とを備え、
前記第１の切り取り補助孔は、
前記第１のカード基材の第１の辺と前記第１の辺の両側の辺とにまたがる第１の孔と、
前記第１の辺に対向する前記第１のカード基材の第２の辺と前記第２の辺の両側の辺とにまたがる第２の孔と、
を含み、
前記第１のカード基材は、
前記第２の大きさよりも小さい第３の大きさを有する第２のカード基材、及び前記第２のカード基材の周囲に、前記第２のカード基材を切り取るための第２の切り取り補助孔をさらに含み、前記ＩＣモジュールを、前記第２のカード基材上に装着することにより、前記第１の個人認証媒体よりも小型の第２の個人認証媒体が形成され、
前記第２の切り取り補助孔は、
前記第２のカード基材のうちの何れか１の辺である第３の辺と前記第３の辺の両側の辺とにまたがる第３の孔と、
前記第３の辺に対向する前記第２のカード基材の第４の辺と前記第４の辺の両側の辺とにまたがる第４の孔と、を含み、
前記第１の孔、前記第２の孔、前記第３の孔、及び前記第４の孔のうちの少なくとも何れか１つは、前記カード状支持体からの取り外しを容易にするように、当該孔が他の孔よりも幅が広い、カード状支持体付き個人認証媒体。
【請求項４】
前記第１のカード基材は、前記カード状支持体の中心より外側に設けられ、前記第１の孔は、該第２の孔よりも前記カード状支持体の中心側に設けられる請求項１ないし３のいずれか１項に記載のカード状支持体付き個人認証媒体。
【請求項５】
前記第１のカード基材は、前記カード状支持体の中心より外側に設けられ、前記第３の孔は、前記第４の孔よりも前記カード状支持体の中心側に設けられる請求項３又は４に記載のカード状支持体付き個人認証媒体。
【発明の詳細な説明】
【技術分野】
【０００１】
本発明の実施形態は、カード状支持体付き個人認証媒体に関する。
【背景技術】
【０００２】
携帯電話加入者のＩＤ認証のためにＵＩＭ（Ｕｓｅｒ  Ｉｄｅｎｔｉｔｙ  Ｍｏｄｕｌｅ）カードが用いられる。ＵＩＭカードとして、ＥＴＳＩ  ＴＳ  １０２  ２２１にて規定されるＰｌｕｇ−ｉｎ  ＵＩＣＣ（Ｕｎｉｖｅｒｓａｌ  Ｉｎｔｅｇｒａｔｅｄ  Ｃｉｒｃｕｉｔ  Ｃａｒｄ）とＭｉｎｉ−ＵＩＣＣの２種類のサイズが一般的に使用されている。これらのＵＩＭカードは、通常、この２種類のサイズよりさらに大きいＩＳＯ／ＩＥＣ  ７８１０：２００３に規定されるＩＤ−１カードサイズの支持体と一体的に形成され、この支持体から切り離すための切り込みが設けられている。利用に当たっては、ＩＤ−１サイズカードからＰｌｕｇ−ｉｎ  ＵＩＣＣカードまたはＭｉｎｉ−ＵＩＣＣカードを切り離し、これを携帯電話に取り付けて使用することができる。
【先行技術文献】
【特許文献】
【０００３】
【特許文献１】特開２００５−２６７３１４号公報
【発明の概要】
【発明が解決しようとする課題】
【０００４】
実施形態によれば、カード状支持体から容易に取り外しが可能な個人認証媒体を得ることを目的とする。
【課題を解決するための手段】
【０００５】
実施形態によれば、第１の大きさを有するカード状支持体と、前記カード状支持体中に設けられ、前記第１の大きさより小さい第２の大きさを有する第１のカード基材、及び、前記第１のカード基材上に装着されたＩＣモジュールを含む第１の個人認証媒体と、前記第１のカード基材の周囲に設けられる第１の切り取り補助孔とを備え、前記第１の切り取り補助孔は、前記第１のカード基材の第１の辺と前記第１の辺の両側の辺とにまたがり、前記第１の辺の外側の幅は、前記カード状支持体からの取り外しを容易にするように、前記第１の辺の両側の辺の外側の幅よりも広い、カード状支持体付き個人認証媒体が提供される。
【図面の簡単な説明】
【０００６】
【図１】第１の実施形態にかかるカード状支持体付き個人認証媒体の一例の構成を模式的に表す図である。
【図２】第１の実施形態にかかるカード状支持体付き個人認証媒体の一例の構成を模式的に表す図である。
【図３】第２の実施形態にかかるカード状支持体付き個人認証媒体の一例の構成を模式的に表す図である。
【図４】図３のＸ−Ｘ断面図である。
【図５】第１の実施形態にかかるカード状支持体付き個人認証媒体の一例の構成を模式的に表す図である。
【図６】第１の実施形態にかかるカード状支持体付き個人認証媒体の一例の構成を模式的に表す図である。
【図７】第２の実施形態にかかるカード状支持体付き個人認証媒体の一例の構成を模式的に表す図である。
【図８】第３の実施形態にかかるカード状支持体付き個人認証媒体の一例の構成を模式的に表す図である。
【発明を実施するための形態】
【０００７】
第１の実施形態にかかるカード状支持体付き個人認証媒体は、カード状支持体と、第１の個人認証媒体と、第１の切り取り補助孔とを備える。カード状支持体は、第１の大きさを有する。第１の個人認証媒体は、カード状支持体中に設けられ、第１の大きさより小さい第２の大きさを有する第１のカード基材、及び、第１のカード基材上に装着されたＩＣモジュールを含む。第１の切り取り補助孔は、第１のカード基材の周囲に設けられる。第１の切り取り補助孔は、第１のカード基材の第１の辺と第１の辺の両側の辺とにまたがり、第１の辺の外側の幅は、カード状支持体からの取り外しを容易にするように、第１の辺の両側の辺の外側の幅よりも広い。
【０００８】
第２の実施形態にかかるカード状支持体付き個人認証媒体は、カード状支持体と、第１の個人認証媒体と、第１の切り取り補助孔とを備える。カード状支持体は、第１の大きさを有する。第１の個人認証媒体は、カード状支持体中に設けられ、第１の大きさより小さい第２の大きさを有する第１のカード基材、及び、第１のカード基材上に装着されたＩＣモジュールを含む。第１の切り取り補助孔は、第１のカード基材の周囲に設けられる。第１の切り取り補助孔は、第１の孔と、第２の孔と、を含む。第１の孔は、第１のカード基材の第１の辺と前記第１の辺の両側の辺とにまたがる。第２の孔は、第１の辺に対向する第１のカード基材の第２の辺と第２の辺の両側の辺とにまたがる。第１の孔は、カード状支持体からの取り外しを容易にするように、第１の辺の両側の辺の外側の幅よりも第１の辺の外側の幅の方が広い。
【０００９】
第３の実施形態にかかるカード状支持体付き個人認証媒体は、カード状支持体と、第１の個人認証媒体と、第１の切り取り補助孔とを備える。カード状支持体は、第１の大きさを有する。第１の個人認証媒体は、カード状支持体中に設けられ、第１の大きさより小さい第２の大きさを有する第１のカード基材、及び、第１のカード基材上に装着されたＩＣモジュールを含む。第１のカード基材の周囲に設けられる。第１の切り取り補助孔は、第１の孔と、第２の孔と、を含む。第１の孔は、第１のカード基材の第１の辺と前記第１の辺の両側の辺とにまたがる。第２の孔は、第１の辺に対向する前記第１のカード基材の第２の辺と前記第２の辺の両側の辺とにまたがる。第１のカード基材は、第２のカード基材、及び第２の切り取り補助孔をさらに含む。第２のカード基材は、第２の大きさよりも小さい第３の大きさを有する。第２の切り取り補助孔は、第２のカード基材の周囲に、第２のカード基材を切り取るためのもの。ＩＣモジュールを、第２のカード基材上に装着することにより、第１の個人認証媒体よりも小型の第２の個人認証媒体が形成される。第２の切り取り補助孔は、第３の孔と、第４の孔と、を含む。第３の孔は、第２のカード基材のうちの何れか１の辺である第３の辺と第３の辺の両側の辺とにまたがる。第４の孔は、第３の辺に対向する第２のカード基材の第４の辺と第４の辺の両側の辺とにまたがる。第１の孔、第２の孔、第３の孔、及び第４の孔のうちの少なくとも何れか１つは、カード状支持体からの取り外しを容易にするように、当該孔が他の孔よりも幅が広い。
【００１０】
第１ないし第３の実施態様に係るカード状支持体付き個人認証媒体によれば、切り取り補助孔を介して第１のカード基材あるいは第２のカード基材を切り離す際に、切り取り補助孔の少なくとも１つが幅及び長さ３ｍｍの矩形以上の大きさの輪郭形状であると、切り取り補助孔に指が入りやすいので、例えば爪を使用したり、支持体を反らせるなどの余計な手間が必要なく、容易に迅速に切り取りが可能である。
【００１１】
以下、実施の形態について、図面を参照して説明する。
【００１２】
図１は、第１の実施形態にかかるカード状支持体付き個人認証媒体の一例の構成を模式的に表す図である。
【００１３】
図示するように、カード状支持体付きＰｌｕｇ−ｉｎ  ＵＩＣＣ１０は、カード状支持体１と、カード状支持体１中に設けられたＰｌｕｇ−ｉｎ  ＵＩＣＣ４を有する。Ｐｌｕｇ−ｉｎ  ＵＩＣＣ４は、カード状支持体１中に設けられた第１のカード基材２と、第１のカード基材２上に装着されたＩＣモジュール３とを含む。第１のカード基材２の周囲には、Ｐｌｕｇ−ｉｎ  ＵＩＣＣ４の第１のカード基材２をカード状支持体１から切り取るための第１の切り取り補助孔として、第１の孔５と第２の孔５’が設けられている。第１の孔５は、幅及び長さ３ｍｍの矩形以上の大きさの輪郭形状を持ち、第２の孔５’は、第１の孔５よりも幅が狭い。第１の孔５は、第２の孔５’よりもカード状支持体の中心側に設けられている。
【００１４】
カード状支持体１は第１の大きさを有する。カード状支持体１は、例えばＩＳＯ／ＩＥＣ  ７８１０：２００３（ＩＳＯ：国際標準化機構、ＩＥＣ：国際電気標準会議）に記載の通常のクレジットカードと同様のカード形状を有し、この場合、第１の大きさは、例えば幅５３．９２〜５４．０３ｍｍ、長さ８５．４７〜８５．７２ｍｍ、厚さ０．６８〜０．８４ｍｍである。
【００１５】
また、Ｐｌｕｇ−ｉｎ  ＵＩＣＣ１０は、第２の大きさを有する。Ｐｌｕｇ−ｉｎ  ＵＩＣＣ１０は、例えばＥＴＳＩ  ＴＳ  １０２  ２２１（ＥＴＳＩ：欧州電気通信標準化機構）に記載されていたカード形状を有し、この場合、第２の大きさは、例えば幅１５±０．１ｍｍ、長さ２５±０．１ｍｍである。
【００１６】
また、図２は、第１の実施形態にかかるカード状支持体付き個人認証媒体の他の一例の構成を模式的に表す図である。
【００１７】
図示するように、カード状支持体付きＭｉｎｉ−ＵＩＣＣ２０は、カード状支持体１と、カード状支持体１中に設けられたＭｉｎｉ−ＵＩＣＣ７を有する。Ｍｉｎｉ−ＵＩＣＣ７は、カード状支持体１中に設けられた第２のカード基材６と、第２のカード基材６上に装着されたＩＣモジュール３とを含む。第２のカード基材６の周囲には、Ｍｉｎｉ−ＵＩＣＣ７の第２のカード基材６をカード状支持体１から切り取るための第１の切り取り補助孔として、第１の孔８と第２の孔８’が設けられている。第１の孔８は、幅及び長さ３ｍｍの矩形以上の大きさの輪郭形状を持ち、第２の孔８’は、第１の孔８よりも幅が狭い。
第１の孔８は、第２の孔８’よりもカード状支持体の中心側に設けられている。
【００１８】
カード状支持体の形状、及び大きさは図１と同様である。
【００１９】
Ｍｉｎｉ−ＵＩＣＣ７は、第３の大きさを有する。Ｍｉｎｉ−ＵＩＣＣ７は例えばＥＴＳＩ  ＴＳ  １０２  ２２１に記載のカード形状を有し、この場合、第３の大きさは例えば幅１２±０．１ｍｍ、長さ１５±０．１ｍｍである。
【００２０】
図３は、第２の実施形態にかかるカード状支持体付き個人認証媒体の一例の構成を模式的に表す図を示す。
【００２１】
図４に図３のＸ−Ｘ断面図を示す。
【００２２】
図示するように、カード状支持体付きＰｌｕｇ−ｉｎ  ＵＩＣＣ３０は、カード状支持体１と、カード状支持体１中にＭｉｎｉ−ＵＩＣＣ７と一体的に形成されたＰｌｕｇ−ｉｎ  ＵＩＣＣ１３とを有する。Ｐｌｕｇ−ｉｎ  ＵＩＣＣ１３は、カード基材２’と、第１のカード基材２’中に設けられた第２のカード基材６と第２のカード基材６と、第２のカード基材６上に装着されたＩＣモジュール３とを含む。第１のカード基材２’の周囲には、Ｐｌｕｇ−ｉｎ  ＵＩＣＣ１３の第１のカード基材２’をカード状支持体１から切り取るための第１の切り取り補助孔として、孔５，孔５’が設けられている。第２のカード基材６の周囲には、Ｐｌｕｇ−ｉｎ  ＵＩＣＣ１３の第２のカード基材６を第１のカード基材２’から切り取るための第２の切り取り補助孔として、孔８，孔８’が設けられている。孔５は、幅及び長さ３ｍｍの矩形以上の大きさの輪郭形状を持ち、孔５’は、孔５よりも幅が狭い。孔５は、孔５’よりもカード状支持体の中心側に設けられている。孔８は、幅及び長さ３ｍｍの矩形以上の大きさの輪郭形状を持ち、孔８’は、孔８よりも幅が狭い。孔８は、孔８’よりもカード状支持体の中心側に設けられている。
【００２３】
カード状支持体１及びＰｌｕｇ−ｉｎ  ＵＩＣＣ１３は、図１のカード状支持体１及びＰｌｕｇ−ｉｎ  ＵＩＣＣ４と同様の形状、大きさを有する。
【００２４】
Ｍｉｎｉ−ＵＩＣＣ７は、図２のＭｉｎｉ−ＵＩＣＣ７と同様の形状、大きさを有する。
【００２５】
図５は、第１の実施形態にかかるカード状支持体付き個人認証媒体のさらに一例の構成を模式的に表す図を示す。
【００２６】
カード状支持体付きＰｌｕｇ−ｉｎ  ＵＩＣＣ４０は、第１の切り取り補助孔として、第１の孔５と第２の孔５’の代わりに、第１のカード基材の中心Ｃを通る軸１０１に平行に互いに対向して配置された第１の孔９と第２の孔９’が設けられていること以外は図１と同様の構成を有する。
【００２７】
第１の孔９と第２の孔９’はいずれも幅及び長さ３ｍｍの矩形以上の大きさの輪郭形状を持つ。
【００２８】
図６は、第１の実施形態にかかるカード状支持体付き個人認証媒体のさらにまた他の一例の構成を模式的に表す図を示す。
【００２９】
カード状支持体付きＭｉｎｉ−ＵＩＣＣ５０は、第１の切り取り補助孔として、第１の孔８と第２の孔８’の代わりに、第１のカード基材の中心Ｃを通る軸１０１に平行に互いに対向して配置された第１の孔１１と第２の孔１１’が設けられていること以外は図１と同様の構成を有する。
【００３０】
第１の孔１１と第２の孔１１’はいずれも幅及び長さ３ｍｍの矩形以上の大きさの輪郭形状を持つ。
【００３１】
図７は、第２の実施形態にかかるカード状支持体付き個人認証媒体の他の一例の構成を模式的に表す図を示す。
【００３２】
カード状支持体付きＰｌｕｇ−ｉｎ  ＵＩＣＣ６０は、第１の切り取り補助孔として、第１の孔８と第２の孔８’の代わりに、第１のカード基材の中心Ｃを通る軸１０１に平行に互いに対向して配置された第１の孔１２と第２の孔１２’が設けられていること以外は図１と同様の構成を有する。
【００３３】
第１の孔１２と第２の孔１２’はいずれも幅及び長さ３ｍｍの矩形以上の大きさの輪郭形状を持つ。
【００３４】
図８は、第３の実施形態にかかるカード状支持体付き個人認証媒体の一例の構成を模式的に表す図である
カード状支持体付きＰｌｕｇ−ｉｎ  ＵＩＣＣ７０は、第１の切り取り補助孔として、孔５，孔５’のかわりに、孔５”，孔５’を用いること以外は、図３と同様の構成を有する。
【００３５】
孔５”，孔５’は、幅及び長さ３ｍｍの矩形以上の大きさの輪郭形状を持たず、第２の切り取り補助孔として設けられた孔８，孔８’のうち孔８は、幅及び長さ３ｍｍの矩形以上の大きさの輪郭形状を持ち、孔８’は、孔８よりも幅が狭い。孔８は、孔８’よりもカード状支持体の中心側に有する。
【００３６】
これらの実施形態によれば、切り取り補助孔の少なくとも１つが幅及び長さ３ｍｍの矩形以上の大きさの輪郭形状であると、切り取り補助孔に指が入りやすいので、個人認証媒体のカード基材をカード状支持体から容易に切り取ることができる。
【００３７】
なお、図８に示す例では、第１の切り取り補助孔には３ｍｍの矩形以上の大きさの輪郭形状を有する孔は含まれず、第２の切り取り補助孔には３ｍｍの矩形以上の大きさの輪郭形状を有する孔が含まれているが、第３の実施形態では、第１の切り取り補助孔のみ３ｍｍの矩形以上の大きさの輪郭形状を有する孔が含まれ、第２の切り取り補助孔には３ｍｍの矩形以上の大きさの輪郭形状を有する孔は含まれない場合もある。
【００３８】
これらの実施形態について、さらに、３ｍｍの矩形以上の大きさの輪郭形状を４ｍｍの矩形以上の大きさの輪郭形状に変更したところ、切り取り補助孔にさらに指が入りやすく、個人認証媒体のカード基材をさらに容易に切り取ることができることがわかった。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４０】
１…カード状支持体、２，２’…第１のカード基材、３…ＩＣモジュール、４…第１の個人認証媒体、５，５’５”，１２，１２’…第１の切り取り補助孔、８，８’，１１，１１’…第２の切り取り補助孔、６…第２のカード基材、７…第２の個人認証媒体。
【図１】
2015053066.tif 000003
【図２】
2015053066.tif 000004
【図３】
2015053066.tif 000005
【図４】
2015053066.tif 000006
【図５】
2015053066.tif 000007
【図６】
2015053066.tif 000008
【図７】
2015053066.tif 000009
【図８】
2015053066.tif 000010